(57)【特許請求の範囲】
【請求項１】
光ディスクが挿入される開口部を有し、挿入された前記光ディスクを記録あるいは再生するための位置まで搬送する搬送機構を備えた光ディスク装置であって、
前記搬送機構は、互いに逆方向に回動自在に軸支され、その一端に前記光ディスクの周縁部が当接する第１ピン及び第２ピンがそれぞれ形成された左右一対のアームを備え、
前記一対のアームの対向する位置にそれぞれ係合部が形成され、
前記光ディスクが前記第１ピンあるいは第２ピンに当接して前記一対のアームの一方のみを回動させようとした場合に前記係合部が係合して前記一方のアームの更なる回動を規制する
ことを特徴とする光ディスク装置。
【請求項２】
請求項１記載の装置において、
前記一対のアームにそれぞれ形成された前記第１ピン及び第２ピンの間隔は、略８センチメートルに初期設定されることを特徴とする光ディスク装置。
【請求項３】
請求項１，２のいずれかに記載の装置において、前記搬送機構はさらに、
前記光ディスクの挿入方向の周縁部に当接する第３ピンと、
前記光ディスクの挿入に伴って前記第３ピンが移動するとともに、前記第３ピンを第１の位置及び前記第１の位置よりも奥に位置する第２の位置でそれぞれ係止する第１係止部及び第２係止部が設けられた溝と、
を有し、直径８センチメートルの光ディスクが挿入された場合には前記第１の位置で前記光ディスクを係止し、直径１２センチメートルの光ディスクが挿入された場合には前記第２の位置で前記光ディスクを係止することを特徴とする光ディスク装置。
【発明の詳細な説明】
【０００１】
【発明の属する技術分野】
本発明は光ディスク装置、特にスロットイン機構に関する。
【０００２】
【従来の技術】
従来より、ＣＤやＣＤ−ＲＯＭ、ＤＶＤ等の光ディスク装置には、光ディスクをディスク挿入口から挿入すると搬送機構により記録／再生位置まで搬送されるスロットイン機構が採用されている。
【０００３】
ここで、光ディスクを装置に挿入する際には、搬送機構にセットするために光ディスクの位置を所定位置に規制する必要があり、特に８センチディスクと１２センチディスクのいずれが挿入された場合にも、それぞれ正しい位置に位置決めできる構成が望まれる。
【０００４】
【発明が解決しようとする課題】
しかしながら、従来においては、挿入された光ディスクを簡易な構成で位置決めできる装置が開発されておらず、部品点数の増大を招いていた。
【０００５】
本発明は、上記従来技術の有する課題に鑑みなされたものであり、その目的は、簡易な構成で光ディスクの位置決めができるスロットイン型の光ディスク装置を提供することにある。
【０００６】
【課題を解決するための手段】
上記目的を達成するために、本発明は、光ディスクが挿入される開口部を有し、挿入された前記光ディスクを記録あるいは再生するための位置まで搬送する搬送機構を備えた光ディスク装置であって、前記搬送機構は、互いに逆方向に回動自在に軸支され、その一端に前記光ディスクの周縁部が当接する第１ピン及び第２ピンがそれぞれ形成された左右一対のアームを備え、前記一対のアームの対向する位置にそれぞれ係合部が形成され、前記光ディスクが前記第１ピンあるいは第２ピンに当接して前記一対のアームの一方のみを回動させようとした場合に前記係合部が係合して前記一方のアームの更なる回動を規制することを特徴とする。
【０００７】
ここで、前記一対のアームにそれぞれ形成された前記第１ピン及び第２ピンの間隔は、略８センチメートルに初期設定されることが好適である。
【０００８】
また、本装置において、前記搬送機構はさらに、前記光ディスクの挿入方向の周縁部に当接する第３ピンと、前記光ディスクの挿入に伴って前記第３ピンが移動するとともに、前記第３ピンを第１の位置及び前記第１の位置よりも奥に位置する第２の位置でそれぞれ係止する第１係止部及び第２係止部が設けられた溝とを有し、直径８センチメートルの光ディスクが挿入された場合には前記第１の位置で前記光ディスクを係止し、直径１２センチメートルの光ディスクが挿入された場合には前記第２の位置で前記光ディスクを係止することが好適である。
【０００９】
このように、本発明では一対のアームにそれぞれピン及び係合部を設け、光ディスクがピンに当接することでアームを互いに逆方向に回動させる。そして、光ディスクが正しい位置に挿入されない場合には係合部で一対のアームの回動を規制する、すなわち正しい位置に挿入されない場合には係合部が互いに係合して逆方向の回動を規制することで、簡易な構成で光ディスクの挿入位置を位置決めすることができる。また、ピンの間隔を８センチディスクに対応させることで、１２センチディスクよりも小さい８センチディスクにも同様に適用することができる。
【００１０】
【発明の実施の形態】
以下、図面に基づき本発明の実施形態について説明する。
【００１１】
図１には、本実施形態に係る光ディスク装置の構成が示されている。光ディスク装置１は、フロント部に開口部を有し、ユーザは開口部から光ディスク１００を挿入する。光ディスク装置１の搬送部２には一対のアーム１０，１２が設けられており、アーム１０，１２の一端にはそれぞれピン１０ａ及び１２ａが設けられている。
【００１２】
アーム１０は支点１０ｂを介して搬送部２に遊嵌状態で軸支され、この支点１０ｂを中心として平面内で回動及び移動可能であり、アーム１０の回動に伴ってピン１０ａは搬送部２に形成された溝１１に沿って移動する。アーム１０の回動範囲はこの溝１１で規制される。また、アーム１２も支点１２ｂを介して搬送部２に遊嵌状態で軸支され、支点１２ｂを中心として平面内で回動及び移動可能であり、アーム１２の回動に伴ってピン１２ａは搬送部２に形成された溝１３に沿って移動する。アーム１２の回動範囲はこの溝１３で規制される。
【００１３】
また、アーム１０の他端は搬送部２に設けられたスプリング１０ｃに接続され、アーム１０が図中矢印ア方向（反時計方向）に回動する場合にはこのスプリング１０ｃの弾性力に抗して回動することになる。従って、アーム１０が図中ア方向に回動する場合には常に初期位置に戻ろうとする復元力が働く。アーム１２の他端も搬送部２に設けられたスプリング１２ｃに接続され、アーム１０と反対方向（時計方向）に回動する場合にはこのスプリング１２ｃの弾性力に抗して回動することになり、アーム１２にも初期位置に戻ろうとする復元力が働く。
【００１４】
さらに、アーム１０及びアーム１２の互いに対向する位置にはそれぞれ凸状の係合部１０ｅ及び凹状の係合部１２ｄが形成されている。より詳しくは、凸状の係合部１０ｅはＴ字型をなし、凹状の係合部１２ｄは係合部１０ｅよりも搬送方向に若干大きなサイズで形成されている。すなわち、凹状の係合部１２ｄは、凸状の係合部１０ｅに対してディスク挿入方向に若干の「遊び」が形成されている。
【００１５】
光ディスク１００が未挿入の状態では、凸状の係合部１０ｅは凹状の係合部１２ｄ内に位置し、噛み合わない中立状態にある。この状態で光ディスク１００が正しく挿入され（図１参照）、左右のピン１０ａ，１２ａに当接すると、凸状の係合部１０ｅと凹状の係合部１２ｄが中立状態からそのまま互いに遊離し、アーム１０及びアーム１２は互いに逆向きに回動する。
【００１６】
しかしながら、光ディスク１００が正しく挿入されていない場合、例えば右側に偏って挿入された場合には、光ディスク１００がピン１０ａに当接し、アーム１０を挿入方向（図中イ方向）に若干移動させる。これにより、図２に示すように凸状の係合部１０ｅは凹状の係合部１２ｄと噛み合い、アーム１０の回動を規制する。逆に、光ディスク１００が左側に偏って挿入された場合には、光ディスク１００がピン１２ａに当接し、アーム１２を挿入方向に若干移動させる。これにより、凸状の係合部１０ｅは凹状の係合部１２ｄと噛み合い、アーム１２の回動を規制する。この規制状態から光ディスク１００を偏り方向と逆方向に移動修正することにより、アーム１０，１２を図１に示すような中立状態に復帰させることが可能になり、遊離してアーム１０，１２が互いに逆向きに回動可能となる。
【００１７】
なお、ピン１０ａとピン１２ａは初期状態においては８センチディスクに対応すべく、略８センチメートルの間隔に設定されている。これにより、８センチディスクと１２センチディスクのいずれが挿入されてもその挿入位置を規制することができる。
【００１８】
光ディスク１００の左右方向の挿入位置が規制された状態で、ユーザが光ディスク１００をさらに押し込むと、光ディスク１００の周縁部がアーム１０のピン１０ａ及びアーム１２のピン１２ａに当接し、スプリング１０ｃ及び１２ｃの弾性力に抗してアーム１０及びアーム１２が互いに逆方向に回動する。スプリング１０ｃ及び１２ｃの弾性力により、ピン１０ａ及び１２ａは常に光ディスク１００の周縁部に当接した状態となる。
【００１９】
搬送部２は、光ディスク装置１の側面に形成された案内溝に沿って図中矢印イ方向（図中上下方向）に移動自在に支持されており、図示しないモータ及びラックピニオン機構からなる駆動部により駆動される。光ディスク１００が所定位置まで挿入された場合に、モータに駆動電流が供給され、搬送部２は光ディスク１００を記録／再生位置まで搬送する。その後、搬送部２は紙面に対して垂直方向（光ディスク装置１の厚さ方向）に移動し、光ディスク１００をスピンドル方向に下降させてスピンドルにクランプする。光ディスク１００のクランプ動作についてはさらに後述する。
【００２０】
また、光ディスク装置１の基部には一端がスプリングで支持され、他端が光ピックアップやターンテーブルが支持されるベースの上面に接するレバー４２が設けられている。このレバーは「く」の字型に屈曲しており、その中央が揺動自在に軸支されている。ベースは従来と同様に緩衝材で支持されており、スプリングで支持された端部が解放状態にあるときにはその端部がスプリングの弾性力により上方に付勢されており、これによりベース上面に接する他方の端部は下方に押しつけられ、ベースを緩衝材の弾性力に抗して下方に押しつける。これにより、搬送部２が光ディスク１００を搬送する際には、光ピックアップやターンテーブルが設けられるベースが下方に後退し、搬送路が確保される。
【００２１】
図３には、光ディスク装置１を開口部の方向から見た前面図が示されている。搬送部２には上部トレイ１４及び下部トレイ１６が設けられており、この上下のトレイ１４，１６で挿入された光ディスク１００を挟持する構成である。上部トレイ１４及び下部トレイ１６は光ディスク１００の全周ではなく半周部分（光ディスク１００が搬送部に挿入された半周部分）を挟持する。
【００２２】
図４には、上部トレイ１４及び下部トレイ１６が模式的に示されている。上部トレイ１４及び下部トレイ１６は面平行に配置されるのではなく、光ディスク１００の内径に向かって開くように配置されている。図では下部トレイ１６が下方に延在することによって内径に向い、上部トレイ１４も内径に向かって上方に延在することによって内径に向かって上部トレイ１４と下部トレイ１６が開くようになっている。そして、下部トレイ１６は図中矢印ウ方向、すなわち上部トレイ１４の方向に向かって弾性により付勢されている。光ディスク１００を挿入する場合、下部トレイ１６の弾性力に抗して下部トレイ１６を下に押し広げて挿入する。これにより、光ディスク１００を上部トレイ１４及び下部トレイ１６で確実に挟持できるとともに、（ａ）に示されるように直径１２センチの光ディスク１００を挿入する場合でも、（ｂ）に示されるように直径８センチの光ディスク１００を挿入する場合でも、同一の構成で挟持することができる。
【００２３】
以下、光ディスク１００を開口部に挿入して所定位置まで押し込み、搬送部２で光ディスク１００を記録／再生位置まで搬送する動作について順に説明する。
【００２４】
＜光ディスクの押し込み動作＞
図５には、図１の状態からさらに光ディスク１００を押し込んだ状態が示されており、図６には、図５の縦断面図が示されている。光ディスク１００を図１の状態からさらに押し込むと、光ディスク１００に当接したピン１０ａ及びピン１２ａがそれぞれ溝１１及び溝１３に沿って移動する。また、光ディスク１００は搬送部２に設けられた溝２０内に位置する第３のピン１８に当接する。この第３のピン１８は、搬送部２の上面パネルの裏面で軸１９ａを介して移動自在に配置されたピン支持プレート１９上に固定されている。第３のピン１８がピン支持プレート１９を介して搬送部２に接続されることにより、光ディスク１００の受け止めを安定的に行えるようにしている。つまり、第３のピン１８は、光ディスク１００がさらに押し込まれると、溝２０に沿って移動し、やがて溝２０の端部（第２の係止位置）に当たって停止する。第３のピン１８が溝２０の端部に当たることでそれ以上の光ディスク１００の押し込みが規制され、この位置が光ディスク１００の押し込み最終位置となる。なお、以上は１２センチディスクの場合であって、８センチディスクが挿入された場合には、溝２０の他の端部（第１の係止位置）に第３のピン１８が当接し、停止することになる。図１において、溝２０に形成された端部２１が第１の係止位置を示し、端部２３が第２の係止位置を示している。８センチディスクと１２センチディスクのサイズの相違を考慮し、第２の係止位置は第１の係止位置よりも奥側に形成される。光ディスク１００が第３のピン１８と溝２０との位置関係で定まる押し込み最終位置に達すると、モータに駆動電流が流れ、搬送部２による光ディスク１００の搬送が開始される。
【００２５】
なお、前述したように、光ディスク１００は１２センチディスクと８センチディスクが存在するが、どちらのサイズの光ディスクが挿入され、所定位置に押し込まれたかを検出して、搬送部２を動作させるモータを駆動する必要がある。そのため、例えば、光ディスク１００の挿入路に複数のスイッチを設け、そのスイッチのＯＮ，ＯＦＦの組み合わせにより、ディスクサイズを検出し、前記モータを駆動するようにすれば、最適なタイミングで搬送部２の駆動を開始することができる。
【００２６】
図６を用いて、光ディスク１００の押し込み時の搬送部２とそれに含まれる上部トレイ１４と下部トレイ１６、及び光ディスク装置１の側面視構造及びその関連を説明する。
【００２７】
光ディスク１００は上部トレイ１４と下部トレイ１６に挟まれた状態で搬送部２の内部に位置している。上部トレイ１４の側面には、搬送部２の側板２ａに形成された「略くの字」形状のガイド溝２ｂを介して、光ディスク装置１のフレーム側面に形成された案内溝２１ａ，２１ｂに遊嵌状態で係合する側面ピン１４ａ，１４ｂ（例えば、片側２本）が形成されている。この側面ピン１４ａ，１４ｂがガイド溝２ｂ及び案内溝２１ａ，２１ｂにガイドされながら移動することにより、後述する搬送部２の移動及び上部トレイ１４の所定動作を実現している。一方、下部トレイ１６の側面にも側面ピン１６ａ（例えば前後２本）が形成され、搬送部２の側板２ａに形成されたガイド溝２ｃに遊嵌状態で係合している。このガイド溝２ｃは、後述する下部トレイ１６の昇降移動をガイドすべく、「略くの字」形状を呈している。なお、光ディスク１００の押し込み時、上部トレイ１４の側面ピン１４ａ，１４ｂは、案内溝２１ａの開口部側端部、及びガイド溝２ｂの最上部に位置している。また、下部トレイ１６の側面ピン１６ａもガイド溝２ｃの最上部に位置している。
【００２８】
＜光ディスクの搬送動作＞
図７及び図８には、搬送部２による光ディスク１００の搬送途中の動作が示されている。ピニオンとラックにより搬送部２は光ディスク装置１の両側面に形成された案内溝２１ａ，２１ｂに沿って図中矢印イ方向に移動する。
【００２９】
搬送部２が光ディスク１００を挟持しながら移動すると、やがて搬送部２の左右の上端部に設けられたピン４０が光ディスク装置１の基台端部に設けられた左右の回動子２２，２４に係合するようになる。左右の回動子２２，２４はその中心が基台に軸支され、その一端に二股の爪部が形成され、他端は共通のアーム３２に接続されている。ピン４０はこの二股の爪部の一方に当接する。爪の一方に当接しつつ搬送部２がさらに図中イ方向に移動すると、回動子２２，２４はその軸を中心として回動する。このとき、ピン４０は二股の爪の間に位置する。搬送部２が案内溝に沿って左右同量だけ移動すれば問題ないが、左右の移動量が異なった場合、例えば図中右側の移動距離が長く、左側の移動距離が短い場合（搬送部２が全体として反時計回りに傾いている場合）には、まず右側の回動子２２の爪に搬送部２のピン４０が当接し、回動子２２が支点を中心として反時計方向に回動するようになる。回動子２２と回動子２４は、上述したように共通のアーム３２で接続されているから、回動子２２の回動運動はアーム３２を介して左側の回動子２４に伝達され、回動子２４を時計方向に回動させる。回動子２４の回動により搬送部２の左側のピン４０を引き込み、搬送部２の左側の移動距離を増大させる。搬送部２の左側の移動距離が右側の移動距離よりも長い場合（搬送部２が時計回りに傾いている）も同様であり、まず回動子２４が回動し、この回動運動に連動して回動子２２が回動し始め、左右の移動距離を均等化する。この時、図８に示すように、搬送部２全体が光ディスク装置１に対して移動するので、上部トレイ１４の側面ピン１４ａ，１４ｂは案内溝２１ａ，２１ｂに沿って移動するのみで、側面ピン１４ａ，１４ｂ、及び側面ピン１６ａのガイド溝２ｂ，２ｃにおける位置は最上部のままである。
【００３０】
図９及び図１０には、以上のようにして搬送部２が光ディスク１００を記録／再生位置まで搬送した状態が示されている。記録／再生位置まで搬送すると、搬送部２の左右に設けられた移動子２５，２７が基台の端部（図における上端部）に当接し、搬送部２に対して相対的に図中矢印エ方向に移動する。移動子２５，２７にはその表面にピン２５ａ，２７ａ、側面に切り欠き部２５ｂ，２７ｂが形成されている。このピン２５ａ，２７ａが搬送部２のアーム１０，１２近傍に形成されたカム２６，２８の爪にそれぞれ係合し、切り欠き部２５ｂ，２７ｂはピン１０ａ，１２ａとの当接位置直近上部（図における上部）に位置している。カム２６，２８は搬送部２に回動自在に軸支されており、移動子２５，２７が図中エ方向に移動すると切り欠き部２５ｂ，２７ｂはピン１０ａ及び１２ａとの当接位置に移動し、カム２６は時計方向に回動し、カム２８は反時計方向に回動する。カム２６，２８のこの回動によりカム２６，２８がそれぞれアーム１０，１２に係合するようになり、アーム１０をさらに反時計方向に、そしてアーム１２をさらに時計方向に回動させる。アーム１０，１２のこの追加的な回動により、光ディスク１００に当接していたピン１０ａ及び１２ａがそれぞれ溝１１，１３内を追加移動し、光ディスク１００から離脱する。
【００３１】
また、図５に示されるように、搬送部２には第３のカム３０が回動自在に軸支されており、その一端が既述した第３のピン１８に当接している。搬送部２が光ディスク１００を記録／再生位置まで搬送すると、第３のカム３０が反時計方向に回動し、この回動により第３のピン１８を溝２０内の第２の位置２０ａに移動させる。第３のピン１８も搬送時には光ディスク１００に当接して押し込み位置を規定しているが、カム３０の回動に連動した位置２０ａへの移動により、光ディスク１００から離脱することになる。
【００３２】
以上は１２センチディスクの場合であって、８センチディスクが挿入された場合には、搬送部２の左右に設けられた移動子２５，２７が基台の端部（図における上端部）に当接し、搬送部２に対して相対的に図中矢印エ方向に移動する。移動子２５，２７にはその表面にピン２５ａ，２７ａが形成されており、このピン２５ａ，２７ａが搬送部２のアーム１０，１２近傍に形成されたカム２６，２８の爪にそれぞれ係合しカム２６は時計方向に回動し、カム２８は、反時計方向に回動する。カム２６，２８はこの回動によりそれぞれアーム１０，１２に係合するようになり、アーム１０を上方向、つまり反時計方向に、そして、アーム１２を上方向、つまり時計方向に移動、回動させる。アーム１０，１２のこの追加的な移動、回動により、光ディスク１００に当接していたピン１０ａ及びピン１２ａがそれぞれ溝１１，１３内を追加移動し、光ディスク１００から離脱する。８センチディスクを挿入している場合、図１に示すアーム１０に形成されている腕１０ｄもアーム１０の追加的な移動、回動に伴って、移動、回動する。８センチディスクを挿入した場合、溝２０内の第３のピン１８は係止位置２１で８センチディスクのそれ以上の挿入を規制しているが、前述したような腕１０ｄの移動、回動により腕１０ｄは第３のピン１８と当接し、当該第３のピン１８を溝２０の奥側の退避位置２０ｂ（溝２０の途中位置）に移動させる。第３のピン１８は、光ディスク１００の搬送時には、光ディスク１００の側面に当接して光ディスク１００の押し込み位置を規定しているが、退避位置２０ｂに移動することにより、第３のピン１８は光ディスク１００から離脱し、光ディスク１００に対する規制を解除する。なお、図１は、１２センチディスクの挿入時の状態を説明するものであり、第３のピン１８の位置は、１２センチディスクの挿入時のものである。
【００３３】
上述した光ディスク１００の状態（１２センチディスク、８センチディスク共に同じ）で、図１０に示すように、上部トレイ１４の側面ピン１４ａ，１４ｂは、案内溝２１ａ，２１ｂの最も奥側（図１０中右側）に位置し光ディスク１００の水平方向への搬送が終了する。この状態でも側面ピン１４ａ，１４ｂ，１６ａの位置はガイド溝２ｂ，２ｃの最上部のままである。
【００３４】
＜光ディスクのクランプ動作＞
図１１〜図１４には、光ディスク１００を記録／再生位置に搬送した後のクランプ動作が示されている。上部トレイ１４及び下部トレイ１６で光ディスク１００を挟持しつつ、搬送部２（少なくとも上部トレイ１４、下部トレイ１６）は図１２における矢印オのように搬送方向に垂直な下方（光ディスク装置１の厚さ方向）に移動する。この動作は、搬送部２の側板２ａがさらに搬送方向（図８の矢印イ方向）に移動することにより、上部トレイ１４の側面ピン１４ａ，１４ｂが端部で垂直方向に方向を変えた案内溝２１ａ，２１ｂによって水平方向の移動を規制された状態で、「略くの字」型に屈曲した搬送部２の側板２ａに形成されたガイド溝２ｂに沿って、ガイド溝２ｂの最下部に移動することにより実現する。なお、水平方向に移動が規制された下部トレイ１６も側板２ａの移動に伴いその側面ピン１６ａがガイド溝２ｃに沿って最下部に移動する。この下方移動により、光ディスク１００の内径部分をターンテーブルのクランパに挿入する。ターンテーブルのクランパには光ディスク１００の径方向に進退自在な爪あるいはボールクランパが形成されており、この爪あるいはボールクランパにより光ディスク１００の内径部分をクランプする。
【００３５】
ここで、本実施形態では上部トレイ１４及び下部トレイ１６により光ディスク１００の半周部分のみを挟持しているため、クランプ時に光ディスク１００を傾けてクランプすることになり、クランプ動作を円滑にすることができる。
【００３６】
以上のようにして光ディスク１００をクランプした後、上部トレイ１４を上方に移動させる。つまり、図１４に示すように搬送部２の側板２ａがさらに搬送方向（図８の矢印イ方向）に移動することにより、上部トレイ１４の側面ピン１４ａ，１４ｂが上方に屈曲したガイド溝２ｂ（図６等を参照）に沿ってさらに移動し、上部トレイ１４を上方に移動させる。また、下部トレイ１６を同様に側板２ａの動作によってさらに下方に移動させて光ディスク１００から離脱させる。これにより、光ディスク１００はターンテーブルのクランパにクランプされた状態で回転自在となる。図１４は、クランプが開放された状態である。
【００３７】
図１５には、光ディスク１００をクランプする一連の動作がより詳細に示されている。（ａ）に示されるように光ディスク１００を記録／再生位置まで搬送すると、光ディスク１００の内径部分はターンテーブルのクランパ５１の略真上に位置する。この状態で（ｂ）に示されるように搬送部２が下方に移動し、上部トレイ１４及び下部トレイ１６に挟持された光ディスク１００も下方に移動し、ターンテーブルのクランパ５１に挿入される。
【００３８】
また、レバー４２の他端が揺動により上方に移動し、これにより光ピックアップやターンテーブルを支持するベース５０が緩衝材の弾性力により上方に移動する。（ａ）と（ｂ）において、レバー４２の他端の位置及びベース５０の位置が異なっていることに着目されたい。
【００３９】
最後に、（ｃ）に示されるように、搬送部２の上部トレイ１４を上方に再移動させ、光ディスク１００を上方から押さえていた上部トレイ１４を光ディスク１００から離脱させ、また、下部トレイ１６を搬送部２から解放し、搬送部２とは逆にさらに下方に移動させて光ディスク１００から離脱させる。（ｃ）の状態では、光ディスク１００はその内径部でターンテーブルにクランプされているだけで、ピン１０ａ，１２ａ，１８、さらに上部トレイ１４，１６のいずれにも当接しておらず、ターンテーブルの回転により光ディスク１００が回転し、記録／再生が可能となる。このように、本実施形態では、光ディスク１００を開口部から挿入する際に左右の挿入位置を規制することができるとともに、押し込み位置も規制することができ、光ディスク１００を搬送部２に確実にセットすることができる。
【００４０】
【発明の効果】
以上説明したように、本発明の光ディスク装置によれば、 光ディスクをスロットインする際に簡易な構成で光ディスクを位置決めすることができる。
【図面の簡単な説明】
【図１】  実施形態の初期状態における平面図である。
【図２】  アームの回動阻止状態を示す平面図である。
【図３】  図１の前面図である。
【図４】  上部トレイ及び下部トレイの動作説明図である。
【図５】  光ディスク押し込み動作時の平面図（その１）である。
【図６】  図４の縦断面図である。
【図７】  光ディスク押し込み動作時の平面図（その２）である。
【図８】  図６の縦断面図である。
【図９】  光ディスク押し込み動作時の平面図（その３）である。
【図１０】  図８の縦断面図である。
【図１１】  光ディスククランプ時の平面図（その１）である。
【図１２】  図１０の縦断面図である。
【図１３】  光ディスククランプ時の平面図（その２）である。
【図１４】  図１２の縦断面図である。
【図１５】  光ディスククランプ時の動作説明図である。
【符号の説明】
１  光ディスク装置、２  搬送部、１０，１２  アーム、１０ａ，１２ａ  ピン、１０ｃ，１２ｃ  スプリング、１１，１３，２０  溝、１４  上部トレイ、１６  下部トレイ、１８  ピン、２２，２４  回動子、３０  カム（第３のカム）、３２  アーム（共通アーム）、４０  ピン、４２  レバー、５０  ベース、５１  クランパ。
【図１】
0003820934.tif 000002
【図２】
0003820934.tif 000003
【図３】
0003820934.tif 000004
【図４】
0003820934.tif 000005
【図５】
0003820934.tif 000006
【図６】
0003820934.tif 000007
【図７】
0003820934.tif 000008
【図８】
0003820934.tif 000009
【図９】
0003820934.tif 000010
【図１０】
0003820934.tif 000011
【図１１】
0003820934.tif 000012
【図１２】
0003820934.tif 000013
【図１３】
0003820934.tif 000014
【図１４】
0003820934.tif 000015
【図１５】
0003820934.tif 000016